(57)【要約】【課題】  眼鏡の前面にカメラを装着し、そのカメラで随時撮影したい映像を捉え、手元のシャッターで写真や動画が撮れる携帯型テレビカメラとする。【解決手段】  凹面鏡から成る画像拡大装置を暗室内部に備えた筐体であって、その筐体の一側面に撮影レンズを、対峙側面に内部を覗ける覗き窓を備えた筐体を眼鏡枠の前面に装着し、その眼鏡枠の鼻パッドを支点に上下に変位する上下変位装置を装備した携帯型テレビカメラであって、手元には切り替えが出来るスイッチ等の携帯型端末を用意する。この装置により上述のカメラ付き眼鏡枠を電気的に上下に移動させて上述の覗き窓の拡大画像か眼鏡枠の視界に切り替えて手振れなく写真や動画を撮り、視力補強にもなり、電力不足時は自動的に普通の眼鏡になり安全に使用できる携帯型テレビカメラを提案する。【選択図】図２７
0003137491.tif 000002
【実用新案登録請求の範囲】
【請求項１】
筐体の一側面部に配置された撮影レンズ部と上記筐体の上側面部に配置した液晶画面とを備えた携帯型テレビカメラであって、上記レンズ部は、上記液晶画面に対して撮影角度が変化し、上記液晶画面には上記レンズ部の撮影画像が表示されることを特徴とする携帯型テレビカメラ。
【請求項２】
暗室からなる筐体の一側面部の外側に配置された撮影レンズ部と上記一側面部の内側に配置された凹面鏡と、上記一側面部の対峙側面部の中央部位に配置された液晶画面の近傍部位に覗き窓を備えた携帯型テレビカメラであって、上記液晶画面と正面の上記凹面鏡との間に配置された凹レンズと、上記液晶画面には上記レンズ部で撮影した画像が表示されて前方に投影され正面の上記凹レンズで縮小され上記凹面鏡で拡大された虚像として上記覗き窓の正面の視線で捉えられることを特徴とする携帯型テレビカメラ。
【考案の詳細な説明】
【技術分野】
【０００１】
本考案は
（１）矩形状筐体の一側面部に撮影レンズ部と、その筐体の上側面部に液晶画面を設け、
上記レンズ部は上記液晶画面に対して撮影角度が変化し、その液晶画面には上記
レンズ部で撮影した画像を表示し、前方の撮影映像と上述の液晶画面を両眼で交互
に見較べながら撮影出来る携帯型テレビカメラと、
（２）内部が暗室からなる矩形状筐体の一側面部の外側に撮影レンズ部を、その内側に
凹面鏡を設ける一方、対峙面部に小型の液晶画面とその周辺部位に覗き窓を備えた携帯型テレビカメラとし、上記液晶画面に表示された上記撮影レンズ部の撮影画像を正面の凹レンズで一旦縮小した後上記凹面鏡に投影し拡大した画像として上記覗き窓で捉える事のできる望遠鏡形式又は双眼鏡形式の携帯型テレビカメラと、
（３）上述（２）で説明した携帯型テレビカメラで双眼鏡形式の筐体を眼鏡枠の前部に装着し、手振れなくよりタイムリーに撮影出来るようにすると共に、その眼鏡枠の鼻パッドを中心に上下に変位する装置を設け、この眼鏡を掛けて両眼の焦点を前方の視界とするか、上述のファインダーで見る画像とするかを交互に切り替える事の出来る眼鏡枠に装着の携帯型テレビカメラに関するものである。
尚、ここに携帯型テレビカメラとしたのは、単なるカメラではなく撮影動画を高速無線で送受信する事を想定しているからである。
【背景技術】
【０００２】
（１）市販されているデジタル・カメラの撮影レンズ部と背面の液晶画面は表裏一体で固定されているので、撮影レンズ部の方向と液晶の画面表示面の角度を自由に変える事が出来ない。
（２）在来のデジタル・カメラは撮影映像を液晶画面で表示する装置を標準装備しているが、その液晶画面の広さは携帯型であるため限度があり、見る位置によっては太陽光に曝される事もあり、又カメラを手で構えて液晶画面を見ながら撮影する時は構図を選ぶため時間的に遅れを取り、シャッターチャンスを逃がしたり手振れを起こす事もある。
（３）撮影画像を無線通信により送受信できる小型装置としては携帯型電話がある
が、市販のデジタル・カメラには上述の無線通信は装着されていない。
（４）在来の携帯電話は映像と音声を送受信できるがコンパクトに纏めた携帯型電話器なので、画像表示部分は小型で逆光線の為見辛くなる事もある。
（５）視界を見ながら撮影出来るカメラ付き眼鏡は市販されていない。
（６）在来の標準パソコンは周辺の映像を撮影するために、IPカメラや顔を表示するウェブカメラを使用する事も出来るが、半固定化されており使用目的が限定され、別途通常の携帯型カメラの撮影機能を利用せざるを得ない。
（７）通常の望遠鏡や双眼鏡は対象物を光学的に拡大して提示する単なる光学装置である。
【特許文献１】特開２００２−１６８２９号公報（名称：デジタルスチルカメラ）
【０００３】
（１）特開２００２−１６８２９号公報（名称：デジタルスチルカメラ）に記載されている図４の拡大鏡キャビネット１１は三角形状で２枚の拡大鏡１３で構成し、前方下方斜めに傾斜している表示画面１３bを肉眼で見る構造なので、正面の撮影レンズ２の撮影方向とは異なり、広範囲に両眼で撮影映像を探索し的確、敏速に撮影出来る体制を取りにくい。又、拡大鏡キャビネット１１は着脱自在とされているが反面利便性に欠ける。
（２）国際公開２００４／２９６９３号パンフレット(名称：画像表示装置及び投影光学系)に記載の図８によれば、両眼に対しそれぞれ撮影レンズとして一対の魚眼型光学系１０と左右計4枚の凹面鏡を用いた横幅の広い装置が提示されているが、構造が複雑となり、調整に手間取り、嵩張り、小型携帯型カメラや眼鏡用には適さない。
【考案の開示】
【考案が解決しようとする課題】
【０００４】
本考案は、
（１）第一に従来のデジタル・カメラは撮影レンズを筐体の正面に据え、正反対の裏側
の液晶画面を見て撮影する方式なのでこの方式を変える次の提案をする。
基本的には筐体の一側面部に撮影レンズ部と、その上側面部に液晶画面を用意
し、その液晶画面を基準にして上下方向に角度変更可能な撮影レンズ部を設ける。
使用する時は上記撮影レンズ部を上下方向に任意に向けながら、肉眼で前面の
撮影映像と液晶画面の画像を交互に見ながら最適チャンスに上記液晶画面に近
傍に備え付けのシャッターを押す。液晶画面と撮影レンズ部の角度を自由に変え
ながら撮影出来れば液晶画像に対して太陽光を避け、手振れを和らげ、何よりも
両眼で広範囲な前面が見える視界から撮影映像に焦点を絞り、手前の液晶画面
に映る表示画像と交互に見比べ、撮影画像を確かめてシャッターを押せるので利
便性が増す。
そこで、撮影レンズで撮影した画像を表示する液晶の画像表示面を基準として上下方向に角度変更可能な撮影レンズで撮影出来る携帯型テレビカメラを提案する。
（２）第二に基本的には扁平な長方形で暗室からなる筐体を用意し、一側面部には撮影レンズ部を取り付け反対側面には内部が覗ける窓を用意する。
そして暗室からなる筐体の内部をその覗き窓を通して覗き、望遠鏡形式か双眼鏡形式による方式で拡大された撮影映像を見ることができるカメラを提案する。
上述の暗室かならなる筐体の内部には上述の撮影レンズ部で撮影した撮影映像を表示し投影する小型の液晶画面の正面に凹レンズと凹面鏡を設ける。機能としては上述の小型液晶画面で表示した撮影画像を上述の凹レンズで一旦縮小した後上記凹面鏡に投影し拡大した虚像を上述の覗き窓で見る事が出来るようにした携帯型テレビカメラを提案する。
このカメラの新規機能としては、小型液晶画面に表示した撮影レンズ部の撮影映像を一旦凹レンズを通して縮小画像として凹面鏡で拡大し望遠鏡形式又は双眼鏡形式装置として提供する。
凹レンズを設けた理由は携帯型装置では凹面鏡と覗き窓が近接するため眼球に届く画像が眼球の視界の範囲を超え明確に確保出来なくなるのを防ぐためである。尚、一対の覗き窓の左右外側等に液晶画面を設置すると正面の凹面鏡に投射する入射角が大きくなり歪みが生じ易くなり嵩張るのでこの点注意する。
（３）第三に、眼鏡枠の前面に上述の筐体と同様な双眼鏡形式の携帯型テレビカメラの筐体を取り付けた装置について提案する。
カメラを手で持つ事無く、一番肉眼に近い眼鏡枠の前面にカメラを取り付け、肉眼で見る広範囲の前面映像とカメラの液晶画面に映る映像を交互に比較し、手振れ無く、的確、迅速且つタイムリーにシャッターを押す事が出来る装置とする。
従って、この双眼鏡形式の筐体を担持した眼鏡枠を使用する時は、電源を入れることにより眼鏡として周辺の視界を両眼で見ながら、撮影映像を見たい時は手元の上下スイッチを操作し、正面の視界からこの電子カメラに切り替へ細部を観察し、両眼の視力補強とし、必要ならばズームし、手振れなく、自然体でタイムリーに最適なチャンスを生かし手元シャッターを切る事の出来る携帯型テレビカメラとなる。
又、電源オフにより上記眼鏡枠が自動的に下方に変位し肉眼で見る眼鏡としての視界となり、結果として上記画像から外界周辺の視界に自動的に切り替わる装置とする。尚、使用中に電源の不具合か、表示画像の不調で判読不可能になった時は自動的に電源オフになる装置を付け通常の眼鏡に切り替り周囲の視界を確保し確実に安全性が確保できる携帯型テレビカメラを提案する。
（４）上記携帯型テレビカメラ、又は上記携帯型テレビカメラ付の眼鏡装置の静止画、
動画の画像付音声を高速無線送受信用としても使用出来るアンテナ付の携帯型テレビカメラとする。
（５）そして、身近なテレビに上記携帯型テレビカメラを接続し、上述の携帯型テレビ
カメラで撮影し送受信した撮影画像を出来るだけ多くの人が同時に見て話し合う事
が出来るようにする事や、パソコンに接続しより多くの画像付き音声を送受信により
情報交換出来る携帯型テレビカメラとする。  
【課題を解決するための手段】
【０００５】
第一の考案は、筐体の一側面部に配置された撮影レンズ部と上記筐体の上側面部に配置した液晶画面とを備えた携帯型テレビカメラであって、上記撮影レンズ部は、上記液晶画面に対して撮影角度が変化し、上記撮影レンズ部の撮影画像が上記液晶画面に表示されることを特徴とする携帯型テレビカメラを提案する。
【０００６】
第二の考案は、暗室からなる筐体の一側面部の外側に配置された撮影レンズ部と上記一側面部の内側に配置された凹面鏡と、上記一側面部の対峙側面部の中央部位に配置された液晶画面の近傍部位に覗き窓を備えた携帯型テレビカメラであって、上記液晶画面と正面の上記凹面鏡との間に配置された凹レンズと、上記液晶画面には上記レンズ部で撮影した画像が表示されて前方に投影され正面の上記凹レンズで縮小され上記凹面鏡で拡大された虚像として上記覗き窓の正面の視線で捉えられることを特徴とする携帯型テレビカメラを提案する。
注（１）（上記一側面部の対峙側面部の中央部位に配置された液晶画面の近傍部位に覗き
窓を備えた〜）としたが（〜液晶画面の近傍部位に覗き窓〜）とした理由は液晶画面の上部位、下部位、左部位、右部位があり且つ望遠鏡形式とするか、双眼鏡形式とするかにより多種類の組み合わせが考えられるので〜近傍部位〜とした。
（２）上記液晶画面は有機EL画面を含む画像表示画面とする。  
【考案の効果】
【０００７】
以上の説明からも明らかように本考案は、個人で使用するデジタルカメラ、望遠鏡、双眼鏡、眼鏡等の光学系の装置で単に映像を撮影し録画する従来の装置ではなく、
携帯電話も含めて出来るだけ相互に合体させ、撮影動画を高速無線や光ファイバーでスムーズに送受信出来るようにし次世代のIT関連装置の一助とし、具体的効果を下記に列挙する。
尚、ここに携帯型テレビカメラと呼称する理由は、従来の単なる撮影・録画するデジタル・カメラとは異なり撮影した映像を無線及び有線で送受信出来る携帯型カメラを目指す点にある。
Ａ：従来のデジタル・カメラは撮影レンズ部と液晶表示部が表裏一体で固定しとなった構造となっているが、扁平な矩形状の筐体の一側面部に配置された撮影レンズ部と上記筐体の上側面部に配置した液晶画面とを備えた携帯型テレビカメラとし、上記撮影レンズ部は、上記液晶画面に対して撮影角度が変化し、上記液晶画面には上記撮影レンズ部の撮影画像が表示される携帯型テレビカメラとし下記効果を発揮する。
◎実施例を次に説明する。
（１）使用する時は、撮影レンズ部と液晶画面の角度を自由に変えて撮影出来るので
前方の両眼で見る広範な映像から的確に撮影映像を選択し液晶画面と交互に比較し、的確、タイムリーに、手振れを少なくして、且つ送受信する。
（２）従来の固定電話に代わり会社事務所のデスクや家庭の卓上にこの携帯型テレ
ビカメラをスタンド上に設置し、自分自身の情報の中心場所とする。即ち、この携
帯型テレビカメラを使用する者が中心となり相手と通話する時は、周囲の環境と
して家族、知人、友人、同僚、会議等の様子を撮影し、自分の顔映像と共に液晶
画面に映し出して音声付映像の送受信が出来るようにする。
又更なる情報としては手書きメモ、注文書、申込書、請求書等のカラー付ファック
ス、新聞、雑誌の切り抜き、説明書、証明書等の書面、印刷物等を卓上のバイン
ダーで留めて掲示し、スタンドに設置した上記携帯型テレビカメラで撮影する。
其の他に部品、商品、製品等の机上周辺の必要画像、棚の使用状況、在庫状
況、防犯等の映像をモニター用装置としても使用する。
ここに通信手段としては屋内外で可能となる高速無線通信によるスムーズな音
声付動画、光ファイバーによるIP電話、パソコン等に接続し、必要ならば録画を
含むそれら送受信映像を身近に設置してあるテレビに表示しモニターし、送受信
者相互間で自画像を含む複数の人の画像を見ながら話が出来る態勢を取る事
が出来る装置とする。
Ｂ：従来のデジタル・カメラの液晶表示画面は携帯型である以上液晶表示部分の広さは限度があるので此れを改め,基本的には扁平な六面体からなる暗室の筐体を主体とる携帯型テレビカメラとし、正面の視界に見える撮影対象を撮影レンズで撮影し、覗き窓を通して暗室部内の正面にある凹面鏡に表示した拡大撮影画像を見ながらシャッターを切る事が出来る新規な望遠鏡形式又は双眼鏡形式の携帯型テレビカメラとする。
◎実施例として、前面の被写体７を上記携帯型端末１８の上側に設けた液晶画面に表示される撮影画像１０のみでなく、この望遠鏡又は双眼鏡で拡大した拡大画像１１として表示する。
具体例として、前面に見える被写体を始め、ライブ、コンサート、観劇、スポーツ、ハイキング、バード・ウォッチング等遠くに見える映像を望遠鏡形式又は双眼鏡形式によるこの携帯型テレビカメラで撮影し、録画し、高速無線で送受信すれば、多数の人々が同時に見る事により更なる情報技術の向上発展が期待される。
Ｃ：カメラを手で持つ事なく、一番肉眼に近い眼鏡枠の前面に上述の双眼鏡形式のカメラを取り付け、肉眼で見る広範囲の視界とカメラの液晶画面の映像を交互に比較出来る携帯型テレビカメラとする。
従って、この提案装置を使用する時は、眼鏡として周辺の視界を両眼で見ながら、電源を入れることにより撮影映像を見たい時は手元の上下スイッチを操作し、正面の視界からこのカメラの覗き窓に切り替へ細部を観察し、必要ならばズームし、両眼の視力補強とし、手振れなく、自然体で、的確且つタイムリーに最適なチャンスを生かし手元シャッターを切る事の出来る携帯型テレビカメラとなる。
◎更なる、使用実施例としては、当然ながら上述のA項,B項で提案した撮影映像も
対象とするが、新聞、雑誌、書類等の読み辛い小文字の印刷物を読む時はこの眼鏡枠を掛け必要部分をズームし、話題部分を撮影し、相手と無線又は有線で送受信しあい話しあう事もできる。
又、電源オフにより上記眼鏡枠が自動的に下方に変位し肉眼で見る眼鏡としての視界となり、結果として上記覗き窓の画像から外界周辺の視界に自動的に切り替わる装置とする。尚、使用中に所定電圧が下がるか、表示画像の不調で判読不可能になった時は自動的に電源オフになる装置を付け通常の眼鏡に切り替り周囲の視界を確保し、確実に安全性が確保できる携帯型テレビカメラとする。
Ｄ：最後に、卓上又は机上のスタンドに設置した上記携帯型テレビカメラとその画像を表示するテレビの近辺に自分の撮影画像や他者からの受信画像を何時でも再現できる画像の自己登録装置を設置し常時再現しＩＴ時代に対応できる装置とする。
【考案を実施するための最良の形態】
【０００８】
考案の実施形態を実施例に基づき図面を参照して説明する。
図１から図６迄は望遠鏡形式の携帯型テレビカメラに関する説明図、
図７から図１４は望遠鏡形式の携帯型テレビカメラの筐体２の作用と効果の説明図、
図１５から図１７迄は双眼鏡形式の携帯型テレビカメラに関する説明図、
図１８から図２１迄は双眼鏡形式の筐体２の作用と効果そのＩの説明図、
図２２から図２５迄は双眼鏡形式の筐体２の作用と効果そのＩＩの説明図、
図２６から図２７迄は眼鏡枠で筐体２を担持した携帯型テレビカメラに関する説明図、
図２８から図３０迄は上記眼鏡枠の分解説明図、
図３１から図３２迄は筐体２を担持した眼鏡枠３４と表示画像２９の説明図、
図３３から図３６迄は双眼鏡形式の筐体２の作用と効果そのＩＩの説明図、
図３７から図３９迄は眼鏡枠を上下に移動させる上下切替装置の説明図,
図４０から図４１迄は液晶画像１０の種々表示モードに関する説明である。
【０００９】
図１は携帯型テレビカメラの前面斜視図である。筐体２の正面中央には撮影レンズ部１、左右にマイク１５とフラッシュ１６を設ける。その外側のアンテナ１７は高速無線送受信用に使用する。
屋内、屋外など場所を問わず何処でも光ファイバー通信並のブロードバンド通信が出来る次世代高速無線通信である「次世代PHS」や「WiLMAX（ワイマックス）」等の方式にも使用出来る携帯電話用アンテナとする。
【００１０】
図２は携帯型テレビカメラの内側斜視図である。前面側には被写体７に対応して上下方向に回転できる回転軸３０付きの撮影レンズ１と、その撮影レンズ部１の近傍である上面側上部には自画像を撮影するレンズ２３と、その下に被写体７の液晶表示画像10を含む画像を表示する液晶１９と、左側にアドレス・ボタン６３、メール・ボタン６４、録画・ボタン６５と、右側にフォト・ボタン６０、ビデオ・ボタン６１、比較・ボタン６２と、中央に電源・ボタン５８と、（中央ボタンと上部・左部・右部・下部から成るカーソルキー）を備えたセレクター２０と、その下部に通信・ボタン６７、戻り・ボタン６６、電源オフ・ボタン５５と、更に下部には０〜９等から成るキーボード２１と、内側面に望遠鏡形式の覗き窓３と、マイク１５で構成する。
【００１１】
次に図３（a）（b）（c）から成る携帯型テレビカメラについて機能と具体的実施例を以下に説明する。
Ａ．図３（a）は携帯型テレビカメラの上面図、（b)図は側面図、（c）図は卓上スタンド４０に設置して、撮影レンズ部1を回転軸３０を中心に回転させ被写体７に向けて撮影できる態勢を取っている側面図である。スタンド４０に設置しない場合は当然ながら携帯カメラとして屋内外で自由に持ち運び使用する。
この携帯型テレビカメラは上記した請求項1に対応するもので、筐体２の上側面部に配置した液晶画面１９を備えた筐体であって、上記筐体２の一側面部の外側に配置した撮影レンズ部１は、上記液晶画面１９に対して撮影角度が変化し、上記液晶画面１９には上記撮影レンズ部１の撮影画像が表示されることを特徴とする携帯型テレビカメラである。
ここに撮影レンズ部１は回転軸３０を中心にして液晶画面１９に対し上下自由に回転できる構造とする。使用するときは、広い視界を肉眼（眼球５）で見ながら対象物を探し出し、その被写体７と上記液晶画面１９の液晶表示画像１０を上記眼球５で交互に見比べながら的確且つタイムリーに撮影できる新規な携帯型テレビカメラとし、撮影画像付き音声も送受信できる装置とする。
注：（１）ここに下記図（b）（c）で説明する望遠鏡形式及び双眼鏡形式の携帯型テレビカメラで使用する撮影レンズ部１とその撮影映像を表示する液晶画像１９の画像情報は共通の単一技術を共有しながら利便性を向上させる新規な装置とする。
（２）撮影レンズ部１は出来るだけ広角レンズを使用する。
図３（a）は図２の上面図である。被写体７を撮影する撮影レンズ１で撮影した液晶
表示画像１０は液晶画面１９に表示され、顔を含む自画像は左か右の顔撮影ボタン２２の何れかを押して撮影する。同様実施例としては、図５の場合は左手を使用し右手はパソコンのキーボード２８等に使用する。又液晶画面１９は受信画像の表示用として図４１（b）、図４２（a）、（b）としても使用する。
図（b）は携帯型端末１８の側面図であり、屋内外で望遠鏡形式付の携帯型端末１８として使用する。
撮影レンズ部１は液晶画面１９に対する角度が零に設定してあり、覗き窓３を覗き望遠鏡としても使用することが出来る状態にあり、上述の撮影レンズ部１は上述の液晶画面１９に対し回転軸30を中心に上下自由に回転角度を変えて撮影することが出来る点で、従来にない新規な携帯型テレビカメラとなる。
図(c)は机上のスタンド４０にコネクター７２を介して携帯型端末１８を取り付けた側面図である。この場合は、液晶画面１９に対し撮影レンズ部１を支える回転軸３０を中心として被写体７に向くよう回転させて撮影する体勢にある。
室内外で電話を兼ねた携帯型テレビカメラとして使用する時は、音声付き動画、写真を送受信し合い相互の自画像も写し合い表情を見ながら会話する。
又事務所、会社等で使用するときは自分を含めた同僚との会話を相互複数人で送受信し合い、会議等の様子も送受信し合えば飛躍的に利便性が増大する。
尚、従来の携帯型電話とも通話できる装置も付加すれば便利である。
又、無線ならば図１のアンテナを使用し、有線によるIPテレビ電話、パソコン経由ならば図５の如くスタンド４０の端子３１等を通して使用する。
具体的な被写体としては、無線経由で受信した相手の被写体７や、室外又は図３（c）の机上周辺の被写体７である家族、知人、同僚、会議等の人物、書類、印刷物等の身辺の関係画像及び録画画像や印刷物が挙げられる。
Ｂ．更に、携帯型端末１８の下部端に装着した単眼用の覗き窓３で内部の拡大画像
１１を観察できる望遠鏡形式の携帯型テレビカメラを提供する。
使用する時は前面に見える被写体７を始め、ライブ、コンサート、観劇、スポーツ、ハイキング、バード・ウォッチング等遠くに見える映像を望遠鏡形式によるこの携帯型テレビカメラで撮影し、録画し、高速無線で送受信すれば、多数の人々の参加により情報技術の向上発展に寄与できる。
注：（１）この拡大画像１１は凹面鏡８で拡大した画像とし、液晶画面１９に表示する液晶表示画像１０とは区別する。
（２）従来の望遠鏡形式と特に異なる点は、他所よりの受信画像、録画の再生画像も拡大画像として表示できる事である。
（３）上記望遠鏡形式の携帯型テレビカメラの機能は図７〜１４に細部説明する。
Ｃ．次に使用実施例としては携帯型端末１８上面の電源・ボタン５８をオンにすると、
◎液晶画面１９の下面に（アドレス・メニュー・カメラ）が表示されメニューを選び、
◎アドレスを押せば（戻り・音声・映像）次に要れば（あ・い・う・え・お）の送信先に。
◎カメラを押せば（戻り・フォト・ビデオ）次に要すれば下記記載各ステップに進む。
◎セレクター２０の中央ボタンで（メニュー）を押すと液晶画面１９に縦長テロップと、
（通信・フォト・ビデオ・録画・アドレス・メール・便利機能・設定・私の番号）が表示され、上下カーソルで最上段から次々に希望項目の使用モードを決めて下段に進み、上に戻る時は（戻り・ボタン６６）を押し希望項目を選定して中央ボタンを押す。上記手順に従って上部から順次下記項目を中央ボタンで追尾する。
ここでは主題の携帯型テレビカメラのカメラを中心にして下記実施例を説明する。
（１）（通信）を押すと液晶１９に使用モードとして縦長の下記テロップが表示される。
（高速無線通信（仮称）・IPテレビ電話・GPS・カーナビ・パソコン・電話・メール）が表示され（高速無縁通信（仮称）・IPテレビ電話）のいずれかを押すと、液晶１９に（受暦・送暦・アドレス）が表示され送信先番号を選定後正面の被写体７を確認して（ビデオ・ボタン61）を押せば正面の液晶表示画像１０である図４０（a）の画像を送信する。尚顔映像４８は会話中必要により顔撮影・ボタン２２を押す。
（GPS・カーナビ）のいずれかを押すと、其々の応答処理局に発信する。
（パソコン）については図４〜６の如くパソコンに接続後（パソコン）を押せば、図３２（a）の画像がパソコンの液晶２７に表示され、相手方パソコンとの間で通話する。又（電話・メール）を押せば従来通り電話番号を選定し電話・メールする。
（２）（フォト）を押すと液晶１９に使用モード（望遠鏡・映像種類・夜・ライト・フラッシュ・・・等）が表示され、例えば映像種類を押せば液晶１９に（顔・植物 ・景色）が表示され,いずれかを中央ボタンで選定後次に進む。いずれにしてもカメラメーカーの仕様に従った使用モードが表示され、それ等を選定後は液晶１９表示のテロップ（撮影）に進み、必要ならセレクター２０の上下カーソルでズームし、中央ボタンを押しシャッターを切る。
（３）（ビデオ）を押せば（望遠鏡・映像種類・夜・ライト・・・等）が表示され上記（フォト）と同様メーカー指定の使用モードを選定し中央ボタンを押して撮影する。
（４）（録画）を押すと液晶１９に（全録画・My録画・Rec録画）が表示され、例えば（Rec録画）を押せばRec録画である受信録画のリストが表示され液晶１９下部（戻る・再現・削除）が表示され、セレクター２０で何れかを選択する。
（５）（アドレス）を押すと液晶１９に（受暦・送暦・アドレス帳）が表示されセレクター
２０等で通常の処理をする。以下・・・等々それぞれが表示され処理する。
◎次に右側の３つのボタンの使用方法について説明する。
先ず右側（フォト・ボタン６０）を押し、上記（フォト）と同様手順に従って処理する。
（ビデオ・ボタン61）も同様手順で処理する。
（比較・ボタン62）を押し液晶画面１９の（フォト・ビデオ）を選択後、例えば（フォト）を
押せばMｙフォトの録画一覧表が表示され希望録画を選ぶと、図４１（a）、（b）、
図４０（b） の選定図形モードが液晶画面１９に表示され、図４１（a）を選ぶと、液晶
画面１９、又はテレビ、パソコン液晶２７に上下２並列の画像が表示される。
一点破線（顔画像４８、相手画像４９）はここでは比較対象としないので無視する。
ここで図４１（a）の比較画像についてはセレクター20の上下カーソルでズームしながら、選定録画と現状の撮影映像を比較し観賞する。尚、ズーム出来る画面の比率の範囲は３０〜７０％位の限度を設けたい。
同様に図４１（b）を選び左右縦列に並んだ画像を表示し同様に左右にズームする。
何れも、現状と過去の映像を比較し、変化の度合い成長性、改善性等も比較する。
（ビデオ）を押しMｙビデオ録画を選べば上記（フォト）と同様の手順で比較できる。
（録画・ボタン６５）を押せば（全録画・My録画・Rec録画）が表示され液晶１９に
（戻り・再生・削除）が表示され選択する。
◎最後に（通信・ボタン67）の実施例を説明する。
（通信・ボタン67）を押すと、
（高速無線通信（仮称）・IPビデオ電話・GSP・カーナビ・電話・メール）が液晶画面
１９に表示される。ここで何れかの受信項目があればその項目を押す。
（高速無線通信又はIPテレビ電話）ならば何れかを押し、液晶画面19画面の下部テロップの項目（戻り・送信）を押し（送信）ならば（戻り・ビデオ）の（ビデオ・ボタン61）、（戻り・受信番号）の（受信番号）を順次押し、相手からの映像受信が完了し、液晶画面１９に受信画像４１（b）が表示される。液晶画面１９下部には図４１（a）、（b）、図４０（b）の選定図形モードが表示されているので任意に選んで表示する。
図４１（a）、（b）は上述の（比較・ボタン）での説明と同じく、ズームして観察する。
尚ここでは比較画像５０内の一点破線（相手顔映像４９）も受信画像として表示する。
相互に通話相手の表情も見ながらより綿密に情報交換し利便性を高める為である。
又、拡大して観察したい場合は単一の覗き窓を覗き望遠鏡を使用する。
同様に（GPS・カーナビ）の何れかを選定すると図４１（a）を表示し上下にズームする。
（通信・ボタン67）の各使用モードは（戻り・ボタン66）を押して停止又は終了する。
【００１２】
図４から図６は相互に密接に関係した説明図である。
図４は掲示板１３の前面斜視図である。使用する場合は掲示板１３上に送信メールとして手書きメモ、手書きの注文書、申込書、請求書等のカラー付ファックス、新聞、雑誌の切り抜き、説明書、証明書等の書面、印刷物等をバインダー69で留めて掲示し図５の卓上カメラで撮影し無線、光ファイバーによるIP電話、パソコン等で送信する。
【００１３】
図５（a）は本提案の携帯型テレビカメラを机上のスタンド４０に取り付けた前面図と
図（b）の側面図である。スタンド４０の支え盤上の端子を介して図６のテレビ６８又はパソコンの液晶２７に接続し図４の被写体７を含む図３で説明した被写体をこの携帯型テレビカメラで撮影し、その撮影画像10をそれぞれの液晶画面に表示した説明図である。
端子B３１はIP光ファイバーに接続する端子として表示したが、プリンター接続用の端子も設ける。
注：プリンターについては、携帯型端末１８上側面の液晶画面１９、上記テレビ画面、パソコン画面の何れかに表示された画像１０をプリントする。
図５（b）はこの携帯型テレビカメラを端子７２を介してスタンド４０に取り付けた側面図である。この場合、被写体７を撮影するため撮影レンズ部１を回転軸３０を中心にして液晶画面１９に対し下方に角度を曲げて撮影状態にする。
【００１４】
図６は上記テレビ又はパソコン・キーボード２８を接続した斜視図である。
上図５で説明した如く、図４の掲示板１３の被写体７を液晶表示画像10としてテレビ
６８とパソコン・液晶２７に表示した説明図である。
使用方法は図２、図３と同じく図５の携帯型端末１８を主として使用する。顔撮影・ボタン２２を携帯型端末１８の両側面に取り付け,左右の手どちらからでもこのスイッチを押せる様にする。ここでは主パソコンの左側にこの携帯型端末１８を置けば便利である。左手に携帯型端末１８を持ち、右手は掲示板１３の手書きメールの書き込み、資料等の設置と、パソコンのキーポード打ち込み用として使用する事ができる。
尚、上述の携帯型端末１８は上記図３の説明に準じて使用するが、上部スタンド４０の端子からパソコンのキーボード２８に接続後、携帯型端末１８の（セレクター２０）の（パソコン）を押せば液晶画面１９下側に（戻り・ビデオと顔写真）の指示に従い図４０（a）をパソコン・液晶２７に表示し相互間で通信を開始する。
又テレビについてはテレビのスイッチをオンし上記液晶表示画像１０よりも広いテレビで撮影映像、受信映像、登録画像等種々の映像を見ることができる。
【００１５】
図７〜図１０と図11〜図１４は請求項２に対応する望遠鏡形式の携帯型テレビカメラについての説明図である。
請求項２によれば（〜上記液晶画面６の周辺部位に配置した覗き窓〜）に対応するものである。
ここで（〜周辺部位に配置した覗き窓〜）とした理由は液晶画面６を中心として、その上部、下部、左側、右側等の種々設定位置が想定されるので一括して記載し請求した。
図7〜図１０は（液晶画面６の上部位に配置した覗き窓）についての説明図である。こここでは（望遠鏡形式そのＩ）とする。
図11〜図１４は（液晶画面６の右部位に配置した覗き窓３）についての説明図である。この場合は（望遠鏡形式そのＩＩ）とする。
【００１６】
先ず、図７〜図１０について以下に述べる。
暗室からなる筐体２の一側面部の外側に配置された撮影レンズ部１と上記一側面部の内側に配置された凹面鏡８と、上記一側面部の対峙側面部の中央部位に配置された液晶画面６の近傍部位に覗き窓３を備えた携帯型テレビカメラであって、上記液晶画面６と正面の上記凹面鏡８との間に配置された凹レンズ８１と、上記液晶画面６には上記レンズ部で撮影した画像１０が表示されて前方に投影され正面の上記凹レンズ８１で縮小され上記凹面鏡８で拡大された虚像１１として上記覗き窓３の正面の視線で捉えられることを特徴とする携帯型テレビカメラの説明図である。
【００１７】
図７（a）は望遠鏡形式の携帯型テレビカメラの正面図で、覗き窓３を覗き、正面方向の撮影画像１０を一旦縮小した画像８２を拡大画像１１として見る事が出来る。上記撮影画像１０を表示する液晶画面６を配置した中央部位の上側に覗き窓３の視線７７（図１０参照）方向に出来るだけ合わせる構造とする。上下間隔を出来るだけ少なくし、忠実に撮影画像８２を拡大画像１１として表示する為である。
（b）図は本装置の主要部品を配置した側面図である。
筐体２の側面下部に設けた液晶画面６の上部位に配置した覗き窓３を眼球５で覗けば、前面の被写体７の撮影画像１０を液晶画面６で表示して投影し、一度凹レンズ画像８２に縮小した後、前面の凹面鏡８で拡大した拡大画像１１を見る事ができる。これにより、眼球５で見る正面方向の被写体７と同じ正面に拡大画像１１として見る事が出来、新規なカメラとしての機能を確保する。
【００１８】
図８は図７（a）の断面図Ａ−Ａである。一側面部１４の前面に配置した撮影レンズ部１及び内側に配置した凹面鏡８と、対峙側面部の中央部位に上記凹面鏡を正面とする液晶画面６の上部位に覗き窓３を配備した暗室の筐体２からなる携帯型テレビカメラであって、上記撮影レンズ部１の撮影画像１０を表示する上記液晶画面６と、上記液晶画面６で投影され正面に配置した凹レンズ８１を通過し縮小された凹レンズ画像８２と、上記凹面鏡８を形成する球の中心７３から上記凹面鏡８の中心Rを通過する投影光軸７５と、上記凹レンズ画像８２の光軸が上記凹レンズ８１の光軸に平行して進行し上記凹面鏡８と交差する点と上記凹面鏡８の焦点Fとを結ぶ焦点光軸７６と、上記投影光軸７５と上記焦点光軸７６とが交差する位置に表示される拡大された虚像１１を上記覗き窓３の中心を通る正面方向の視線７７で捉える望遠鏡形式の携帯型テレビカメラの説明図である。
注（１）本図８は上面より見た説明図である為、投影光軸７５、焦点光軸７６、反射光軸
７７は同じ線上に重なり合って表示されているので、下記側面図１０を参照する。
（２）ここで凹レンズ８１を配置した理由は、出来るだけ前方のスペースを広く確保する必要から、眼球５の視界に入る画像を一旦縮小し出来るだけ広範囲の画像を確保して凹面鏡８で拡大する方法を採用した。更に拡大する必要がある場合は拡大レンズ４で調節する。
（３）右側縦軸に表示したT、R、F、OそれぞれのTは拡大画像11、Rは凹面鏡８の中央点、Oは凹面鏡８を形成する球の中心点、ORは凹面鏡８の半径、Fは凹面鏡の焦点（F＝OR/２）、である。
（４）拡大レンズ４は肉眼の視力の補強又は拡大画像１１を更なる拡大画像７９としたい時に配備する。ここで眼球５から拡大画像79までを一点破線78で示した。
（５）反射光軸77は液晶画面６で投影した撮影画像１０の光軸が凹面鏡８で反射し眼球５に至る光軸であるが、以後の説明では上凹面鏡８を超えて拡大画像１１に至るよう作図してある。単一の覗き窓３の中心を通る正面方向の視線７７が上記拡大画像
１１を捉えるよう上記覗き窓３を設定する為である。
【００１９】
図９は本考案の拡大装置である凹面鏡８の側面より見た説明図である。
凹面鏡８の中心をＲ、凹面鏡８を形成する球の中心をＯ、焦点ＦはOR線の真ん中、撮影画像10の位置をＳ、拡大画像１１の位置をＴとする。撮影画像１０が焦点Ｆよりも凹面鏡８側にある場合は、拡大された正立像（虚像）である拡大画像１１になる性質を利用する。
このときＯＲ線の平行光線の反射光は焦点Ｆに集まり、逆に焦点Ｆから出た光線は凹面鏡８に反射してＯＲ線に平行して逆行する。更に球の中心Ｏを通る光線は、凹面鏡８に対して垂直に入射するので、反射光も中心Ｏ点を通る。以上の性質を基に被写体７の撮影画像10と拡大画像１１を作図した説明図である。ここで撮影画像１０は焦点Ｆより内側のＦＲ線の範囲内に設定し、拡大された正立像（虚像）である拡大画像１１を表示する。ここに倍率はＴＲ／ＲＳとなる。眼球５は焦点Fの外側の位置とする。
尚、OR線の平行光線の反射光が焦点Ｆに集まるのは中心点Ｒ近傍の光線である。
近傍から外れると画像の歪が大きくなるのでこの点注意する。
注（１）図９では本提案の説明をする都合上、凹面鏡８が眼球５に近く、表示された拡大画像８４の拡大幅が眼球５の受光範囲を超えている場合を意図的に作図した。
一方図１０では凹面鏡８が眼球５に近くに配置されても、凹レンズ８１で縮小した画像が眼球５の受光範囲内に収まるよう設定した。小型携帯型であるため眼球５と凹面鏡８の距離が充分取れないことを前提とした。
【００２０】
図１０は本考案の液晶画面６の撮影画像１０と拡大装置である凹面鏡８の中間部位に配置した凹レンズ81についての機能側面図である。
液晶画面６で表示された撮影画像１０と、液晶画面６で投影され正面に配置した凹レンズ８１を通過し縮小された凹レンズ画像８２と、上記単一の凹面鏡８を形成する球の中心７３から上記縮小された凹レンズ画像８２の中心を通過する投影光軸７５と、上記縮小された凹レンズ画像８２の光軸が上記凹レンズ８１の光軸に平行して進行し上記凹面鏡８と交差する点と上記凹面鏡８の焦点Fとを結ぶ焦点光軸７６と、上記投影光軸７５と上記焦点光軸７６とが交差する位置に表示される拡大された虚像１１を上記単一の覗き窓３の中心を通る正面方向の視線で捉え上記カメラのファインダーの拡大画像１１とする望遠鏡形式の携帯型テレビカメラの説明図である。
注（１）凹レンズ８１の中央線１２に対し、焦点fに向かう撮影画像１０の入射光軸に対する射出光軸は上記凹レンズ８１の光軸に平行して進行する平行光軸Aとなり、
上記凹レンズ８１の中心点（凹レンズ８１の光軸と中央線１２の交点）に向かう光軸Bは直進し、上記平行光軸Aと上記直進光軸Bは縮小画像８２を構成する。
（２）ここに実線で示した眼球５の受光範囲は中心７３と投影光軸７５とを結ぶ投影光軸延長線７４と焦点光軸７６の枠内にある場合であるが、上記実線の眼球５の上側又は下側の一点破線で示した眼球５は拡大画像１１を反射光軸７７（正面視線）で捉えている説明図で、請求項2の液晶画面６の近傍部位である上側又は下側に配置した覗き窓３に相当する。
（３）反射光軸７７は凹面鏡８で反射し眼球５に届く光軸であるが、凹面鏡８の先に虚像１１として表示される拡大画像１１を液晶画面６の上側又は下側から捉えた眼球５の視線の正面方向とした。
（４）図９の注釈に同じく、図１０では凹面鏡８が眼球５に近くに配置されても、凹レンズ８１で縮小した画像が眼球５の受光範囲内に収まるよう設定した。携帯型に対応して眼球５と凹面鏡８の距離が充分取れないことを前提とした。
【００２１】
図１１〜図１４は望遠鏡形式の携帯型テレビカメラに関する説明図（望遠鏡そのＩＩ）であり請求項２に対応する説明図である。請求項2によれば、
（〜上記凹面鏡８を正面とする液晶画面６と上記液晶画面６の近傍部位に覗き窓を備えた暗室の筐体２からなる携帯型テレビカメラ〜）とあるが、その実施例として（〜上記液晶画面６の右部位に配置した覗き窓〜）として下記に説明する。
【００２２】
図１１（a）は望遠鏡形式の携帯型テレビカメラを前面から見る内側正面図で、覗き窓３を覗き、正面方向に撮影レンズ部１の撮影画像１０を一旦縮小した凹レンズ画像８２を拡大画像１１として見る事が出来る。液晶画面６は中央部位に配置し右側の覗き窓３の視線７７方向に出来るだけ合わせる。忠実に撮影画像８２を拡大画像１１として表示する為である。
（b）図は本装置の主要部品を配置した側面図である。
筐体２の側面部に設けてある覗き窓３を眼球５で覗けば、前面の被写体７の撮影画像１０を液晶画面６で投影し一度凹レンズ画像８２に縮小し前面の凹面鏡８で拡大した拡大画像１１として見る事ができる。
これにより、眼球５で見る正面方向の被写体７と同じ正面に拡大画像１１として見る事が出来、新規なカメラとしての機能を確保する。
【００２３】
図１２は図１１（a）の断面図Ａ−Ａである。
一側面部１４に配備した撮影レンズ部１及び凹面鏡８と、対峙側面部の中央部位に上記凹面鏡８を正面とする液晶画面６の右側に覗き窓３を配備した暗室の筐体２からなる携帯型テレビカメラであって、上記撮影レンズ部１の撮影画像１０を表示する上記液晶画面６と、上記液晶画面６で投影され正面に配置した凹レンズ８１を通過し縮小された凹レンズ画像８２と、上記単一の凹面鏡８を形成する球７３の中心から上記縮小された凹レンズ画像８２の中心を通過する投影光軸７５と、上記縮小された凹レンズ画像８２の光軸が上記凹レンズ８１の光軸に平行して進行し上記凹面鏡８と交差する点と上記凹面鏡８の焦点Fとを結ぶ焦点光軸76と、上記投影光軸７５と上記焦点光軸７６が交差する位置に表示される拡大された虚像１１を上記覗き窓３の中心を通る正面方向の視線７７で捉える望遠鏡形式の携帯型テレビカメラについての説明図である。
注（１）ここで凹レンズ８１を配置した理由は、出来るだけ前方のスペースを広く確保する必要から、眼球５の視界に入る画像を一旦縮小し出来るだけ広範囲の画像を確保して凹面鏡８で拡大する方法を採用した。更に拡大する必要がある場合は拡大レンズ４で調節する。前述した図８の注釈と同じ理由である。
（２）Ｏは凹面鏡８を形成する球の中心点、ＯＲは球の半径で、左右対称に配置した凹面鏡８の中央点をRとした。又ＯＲは球の半径であり焦点ＦはＦ＝ＯＲ／２である。
（３）前方の凹面鏡８から覗き窓３に達する実線の反射光軸７７は前方の拡大された虚像１１を捉えることが出来るよう上記覗き窓３の中心を通る正面方向の視線７７が凹面鏡８を越え反射光軸７７の延長として作図してある。
尚投影光軸７５の凹面鏡８による反射光軸７７は垂線９を中心に左右同一角度で反射し反射光軸７７として眼球５に達する。
（４）凹面鏡８と覗き窓３の距離が近いため、視界外画像８４を捉える光軸８３が眼球５の正面方向の視線を外れ視界外光軸８３となっている状態を示す。下図１３の上面図なので相互に参照する。尚、上述の図９に同じである。
（５）拡大レンズ４は肉眼の視力の補強又は拡大画像１１を更なる拡大画像79としたい時に配備する。
【００２４】
図１３は図９に同じである。
【００２５】
図１４は眼球5と撮影画像１０と凹レンズ８１と凹面鏡８と拡大図１１の関係を表示した側面図である。一旦凹レンズ８１で撮影画像１０を凹レンズ画像８２に縮小し拡大画像１１として表示する説明図である。
注（１）凹レンズ画像８２の作図は図１０の注（１）を参照する。
（２）ここに実線で示した眼球５の受光範囲は中心７３と投影光軸７５とを結ぶ投影光軸延長線７４と焦点光軸７６の枠内にある場合であり、図13と比較する。
（３）反射光軸７７は凹面鏡８で反射し眼球５に届く光軸であるが、凹面鏡８の先に虚像１１として表示される拡大画像１１を液晶画面６の右側から捉えた眼球５の視線
７７の正面方向とした。
【００２６】
図１５から図１７は双眼鏡形式の携帯型テレビカメラの説明図について提案する。
図１から図６までの望遠鏡形式の携帯型テレビカメラより見易くなる。従って望遠鏡形式と比較し双眼鏡形式の主たる機能を図１５から図１７中心に説明する。
【００２７】
図1５は双眼鏡形式の携帯型テレビカメラの前面斜視図である。アンテナ１７は図１と同様目的に使用する。
【００２８】
図１６は双眼鏡形式の携帯型テレビカメラの上面斜視図で図２と同様配列である。
【００２９】
図17（a）は双眼鏡形式の携帯型テレビカメラの上面図である。
（b）図は側面図、（c）図はスタンド４０に取り付けた側面図である。
ここでは図3(a)(ｂ)（c）の説明で（望遠鏡形式９を（双眼鏡形式）に読み替え使用する。
【００３０】
図１８〜図２１は単一の凹面鏡８を使用した双眼鏡形式の画像表示装置の構成と作用の説明図、（双眼鏡形式そのＩ）である。以下に請求項2に記載事項を説明する。
請求項２の（〜上記液晶画面の近傍部位に覗き窓を備えた暗室の筐体〜）に対応して(〜上記液晶画面の左右部位に一対の覗き窓を備えた〜)とする一実施例の説明図である。
尚、単一の撮影レンズ部１と筐体２を用いて、先に説明の図１１〜図１４の望遠鏡形式の携帯型テレビカメラ（望遠鏡形式そのＩＩ）を左右対象に配置すればこの（双眼鏡形式そのＩ）になる。
【００３１】
図１８（a）は双眼鏡形式の携帯型テレビカメラを前面から見る内側正面図で、一対の覗き窓３を覗き、正面方向に撮影レンズ部１の撮影画像１０を一旦縮小した凹レンズ画像８２を拡大画像１１として見る事が出来る。中央部位に配置した上記単一の液晶画面６と、その左右に設けた上記一対の覗き窓３の視線方向は当然ながら正面を見る方向に合わせる。出来るだけ忠実に撮影画像８２を拡大画像１１として表示する為である。
（b）図は本装置の主要部品を配置した側面図である。
筐体２の側面部に設けてある覗き窓３を眼球５で覗けば、前面の被写体７の撮影画像１０をプロジェクター６で投影し一度凹レンズ画像８２に縮小し前面の凹面鏡８で拡大した拡大画像１１として見る事ができる。
これにより、眼球５で見る正面方向の被写体７と同じ正面に拡大画像１１として見る事が出来、新規なカメラとしての機能を確保する。
【００３２】
図１９は図１８（a）の断面図Ａ−Ａである。
一側面部１４に配備した撮影レンズ部１及び単一の凹面鏡８と、対峙側面部の中央部位に上記凹面鏡を正面とする単一の液晶画面６の左右両側に一対の覗き窓３を配備した暗室の筐体２からなる携帯型テレビカメラである。
図１２の右側の単一覗き窓３と対称に左側に設ければ一対の覗き窓３に対応できる。
注（１）図１２の注（１）〜（３）、（５）〜（６）を参照する。
（２）前方の凹面鏡８から一対の覗き窓３に達する実線の反射光軸77は前方の拡大された虚像１１を捉えることが出来るよう上記一対の覗き窓３の中心を通る正面方向の視線が凹面鏡８を越え反射光軸77の延長として作図してある。
尚投影光軸７５の凹面鏡８による反射光軸７７は垂線９を中心に左右同一角度で反射し反射光軸７７として眼球５に達する。
（３）図１９は左右対象であるため、投影光軸７５を中心に左右対称な凹面鏡８の中央点をRとし、又垂線９は左側のみ表示した。
【００３３】
図２０は眼球５と撮影画像１０と凹面鏡８と拡大画像８４との関係を表示した説明図である。拡大画像１１と拡大画像８４の違いは基本的に図９の説明と同じである。
尚、上述の如く、拡大画像８４は拡大しすぎ眼球５の視界を越え明視出来ない状態を表示した。
【００３４】
図２１は眼球５と撮影画像１０と凹レンズ８１と凹面鏡８と拡大図１１の関係を表示した説明図である。一旦凹レンズで撮影画像１０を凹レンズ画像８２に縮小し拡大画像１１として表示する説明図である。基本的には図１０を参照する。
注：其の他、図１０の注（１）、図１４の注（１）〜（３）を参照する。
【００３５】
図２２〜図２５は単一の撮影レンズ部１を使用した双眼鏡形式の画像表示装置の構成と作用の説明図、（双眼鏡形式そのＩＩ）である。
尚上記図７〜図１０で説明した（望遠鏡形式そのＩ）を用いて左右一対の装置とし、単一の撮影レンズ部１を用いた筐体２とすればこの（双眼鏡形式そのＩＩ）となる。
ここで上記図７〜図１０の望遠鏡形式を完全に独立した左右一対の装置とすれば、
図３３〜３６の（双眼鏡形式そのＩＩ）となる。
尚（双眼鏡形式そのＩ）は上記図１８〜２１、（双眼鏡形式そのＩＩ）は図３３〜３６で説明する。
【００３６】
図２２（a）は双眼鏡形式の携帯型テレビカメラを前面から見る内側正面図で、一対の覗き窓３を覗き、正面方向に撮影レンズ部１の撮影画像10を一旦縮小した凹レンズ画像８２を拡大画像１１として見る事が出来る。上記一対の液晶画面６は上部に配置した正面を見る一対の覗き窓３の正面方向の視線方向と合わせる。出来るだけ忠実に撮影画像８２を拡大画像１１として表示する為である。
（b）図は本装置の主要部品を配置した側面図である。
筐体２の側面部に設けてある覗き窓３を眼球５で覗けば、前面の被写体７の撮影画像１０を液晶画面６で投影し一度凹レンズ画像８２に縮小し前面の凹面鏡８で拡大した拡大画像１１として見る事ができる。
これにより、眼球５で見る正面方向の被写体７と同じ正面に拡大画像１１として見る事が出来、新規なカメラとしての機能を確保する。
【００３７】
図２３は図２２（a）の断面図Ａ−Ａである。
一側面部14に配備した単一の撮影レンズ部１を設ける外は、図８の望遠鏡形式の携帯型テレビカメラを左右一対にして対応する。従って上記単一の撮影レンズ部１の撮影画像１０をそれぞれの液晶画面６に表示する事となる。
注（１）液晶画面６の上部位に覗き窓３を配置する方式である望遠鏡形式の図８を参照する。
（２）上記投影光軸７５と焦点光軸７６は上側から見ると同一光軸上にあるが覗き窓３の
正面方向の視線７７も同じ方向に向かう。図面上左右光軸は平行しているが、正面
に表示される虚像１１を出来るだけ正確に捉えるため設定時は多少内側に向ける。
（３）明視距離は普通の人の肉眼で物を見た時ピントが合う最短距離で約２５cmである。
【００３８】
図２４は眼球５と撮影画像１０と凹面鏡８と拡大画像８４との関係を表示した説明図である。拡大画像１１と拡大画像８４の違いは基本的に図９の説明と同じである。
尚、上述の如く、拡大画像８４は拡大しすぎ眼球５の視界を越え明視出来ない状態を表示した。
【００３９】
図２５は眼球5と撮影画像１０と凹レンズ８１と凹面鏡８と拡大図１１の関係を表示した説明図である。一旦凹レンズで撮影画像１０を凹レンズ画像８２に縮小し拡大画像１１として表示する説明図であり、図１０を参照する。
【００４０】
図２６から図３２迄は筐体２を担持した眼鏡枠の説明図である。
ここに使用する筐体２は請求項２に記載する筐体であり、構成機能要素は前述の
（双眼鏡形式そのＩ、双眼鏡形式そのＩＩ）と図３３〜図３６で説明する（双眼鏡形式そのＩＩ）の何れかである。
【００４１】
図２６は左右に弦３５を設けた眼鏡枠３４の前面に筐体２を担持した前面斜視図である。上下変位装置４３は電源オフの状態を図示した。図面を明瞭に説明するため、筐体２を担持する筐体・アーム３７は図２８、２９、３１、３２、３７に図示した。
透明板５４はプラスチック等の透明板か又は使用者個人の視力に適した通常の眼鏡用レンズを使用する。撮影レンズ１を前面中央に装着した筐体２と、左右マイク１５とフラッシュ１６を前面に装着した補助筐体３２を正面に表示する。左右弦３５に設けた充電器３３は携帯型端末１８に内臓の電源の不足に備えて配備する。
下記図２７の携帯端末１８は機能部品を収納するスペースを確保する必要があるが、大量の高速信号の歪や損出を防ぎ効率よく適切に配分する必要から、携帯型端末18と筐体2だけでは設計上機能部品の収納場所が不足する場合に備えて補助筐体32や、更には補助充電器３３のスペースも一部流用する。
携帯型端末１８とそれぞれの筐体の受容量は重要度、重さ、嵩張り等を考慮し取捨選択して決める。当然ながら電力不足も考慮し、左右の補助充電器３３は単なる充電器用のみならず電池としての容量も充分考慮する。  
【００４２】
図２７は図２６の眼鏡枠３４の内側である正面図と携帯型端末１８である。
筐体２の内面には一対の覗き窓３を設ける。一対の鼻パッド３６を配置した上下変位装置４３は電源オフの状態を示す。
尚、ここに表示する携帯型端末１８には図３、図６の撮影レンズ部１と覗き窓３を削除し、眼鏡枠上下移動・ボタン５９を追加した。又、送信アンテナ１７は筐体２の前面左に設けたが、高速無線画像を受信するには受信アンテナは携帯型端末１８に設けることが望ましい。リード線２４等での接続ロスを考慮するためである。図３、図６の説明を参照し携帯型端末１８を作動させる。
但し、ここで大きく相違する箇所は撮影レンズ１を眼鏡枠３４で担持する筐体２に移設した事と、望遠鏡又は双眼鏡を備えていない事である。
使用する時は、先ず眼鏡枠３４の一対の鼻パッド３６を鼻に、弦３５を耳に掛け、次の手順で操作する。
先ず、携帯型端末１８を手に持ち電源オン・ボタン５８をオンにし、
（１）枠上下移動・ボタン５９を上側に押せば鼻パッド３６を中心に眼鏡枠３４を上位に変位させ筐体２の一対の覗き窓３で正面の撮影画像を見る状態になる。
この状態は図３１、３２、３７に図示した。
広範囲の視界を肉眼で観察しながらズームし通常の眼鏡に代わり肉眼の視力補強に役立てる事が出来ると共に、前面の種々の映像を観察しながら、手ぶれなく、的確且つタイムリーに、フォト、ビデオを撮り、記録し、送受信する態勢を採る事が出来る。
（２）枠上下移動・ボタン５９を下部に押せば上下変位装置４３の磁気コイル４６が電流オフとなり眼鏡枠３４が下に下がり通常の眼鏡となる。
ここで撮影レンズ１はスタンドバイ状態とし撮影状態を維持する。この状態でも自画像ボタン２２を押せば筐体２を下に下げた状態で顔の状態を映し、送信できる。
（３）枠上下移動・ボタン５９を“上部”又は“下部“交互に押せば眼鏡枠３４が上下に交互に変位し”カメラ“の映像と”眼鏡“の視界を交互に見ることができる。
【００４３】
図２８（a）図は前面図である。眼鏡枠フレーム３４の左右に設置した一対のアーム
３７で筐体２を担持した場合の前面図である。リード線Ｂ２５は補助筐体３２と筐体２間の配線である。補助筐体３２の機能装置は充電器３３の一部にも設けるか携帯端末
１８内に設けるかは設計時の機能として任意に判断する。従って図２７のリード線Ａ
２４、図２８のリード線Ｂ２５、図２９のりード線Ｃ２６は上記判断に従い配線する。
（b）図は補助筐体３２と筐体アーム３７と筐体２の位置関係を示す側面図である。  
【００４４】
図２９は内側正面図である。左右リード線Ｃ２６は補助筐体３２から眼鏡枠フレーム
３４に沿って筐体２に至る配線を示す。筐体２に配備した一対の覗き窓３と上下変位装置４３を構成する磁気コアー４５、追加板５３、鼻パッド３６の位置を示す。
尚、詳細説明は図３７〜３９を参照する。
【００４５】
図３０（a）は筐体２の前面斜視図である。
筐体ローター３８は筐体２を上下に回転させ微調整する時に使用する。
単一の撮影レンズ部１を前面に取り付けた双眼鏡形式の筐体２である。
該当図面は図１８〜２１の液晶画面６の左右部位に一対の覗き窓３を装置した（双眼鏡そのＩ）方式と、図２２〜２５の液晶画面６の上部位に一対の覗き窓３を装置した（双眼鏡そのＩＩ）方式である。
尚、上記方式は前面に単一の撮影レンズ部１を設けた場合であるが、出来るだけ前面映像を広く撮影するために広角レンズを使用することが望ましい。
【００４６】
図３０（b）は上図（a）と同じく筐体２の前面斜視図であるが、前面に一対の撮影レンズ部１を設けている点が上図３０（a）と大きく異なる。この一対の撮影レンズ部１を取り付ける事により、眼前の撮影映像が左右を立体的に広く拡大し見易くなる。
説明画像は図３３〜図３６の（双眼鏡そのＩＩ）を参照する。
注（１）上述の如く、左右独立した望遠鏡形式テレビカメラを単一の筐体２内に納める事
により、立体的に広い画像を観察し、他所と送受信しあい、録画しておけばこの
立体画像を再現できる新規な装置となる。
【００４７】
図３１から図３２迄は主に拡大画像表示画面２９の説明図である。
【００４８】
図３１は眼鏡を掛けて筐体２のファンダーである覗き窓３を覗いている前面図である。正面の実線５１は撮影レンズ１を通して前面を見ている視線５１である。左右の一点破線５１は眼球５で画像表示面２９の左右の枠方向を見ている視線５１である。
【００４９】
図３２（a）図は眼鏡枠を掛け眼球５で筐体２のファインダーを覗き前方の被写体７
撮影画像を拡大画像表示画面２９上に拡大画像１１として見ている側面図である。
一点破線５１は眼球５で画像表示画面２９の上下枠方向を見ている側面図である。
(b)図は拡大画像表示装置２９に映し出される拡大画像１１の前面図である。
【００５０】
図３３〜図３６は図７〜図１０の（望遠鏡そのＩ）を独立した左右一対の装置として設けた双眼鏡形式とし、その構成と作用の説明図で（双眼鏡そのＩＩ）とした。
尚（双眼鏡そのＩ）は図１８〜２１、（双眼鏡そのＩＩ）は図２２〜２５で説明した。
以下に図３３〜図３６を、請求項2に記載事項を図面で説明する。
請求項２の（〜上記液晶画面の近傍部位に覗き窓〜）に対して（〜上記液晶画面の上部位に覗き窓〜）を設けた場合である。
【００５１】
図３３（a）は双眼鏡形式の携帯型テレビカメラを前面から見る内側正面図で、一対の覗き窓３を覗き、正面方向に一対の撮影レンズ部１で撮影した被写体７の撮影画像10を一旦縮小した凹レンズ画像82を拡大画像１１として見る事が出来る。上記一対の液晶画面６は上部に配置した正面を見る一対の覗き窓３の正面方向の視線方向に合わせる。出来るだけ忠実に撮影画像８２を拡大画像１１として表示する為である。
（b）図は本装置の主要部品を配置した側面図である。
筐体２の側面部に設けてある覗き窓３を眼球５で覗けば、前面の被写体７の撮影画像１０を液晶画面６で投影し一度凹レンズ画像８２に縮小し前面の凹面鏡８で拡大した拡大画像１１として見る事ができる。
これにより、眼球５で見る正面方向の被写体７と同じ正面に拡大画像１１として見る事が出来、新規なカメラとしての機能を確保する。
【００５２】
図３４は図３３（a）の断面図Ａ−Ａである。図8の説明図を参照する。
注（１）図２３の単一の撮影レンズ部１とするか、本図３４の如く一対の撮影レンズ部１とするかの違いだけであり図２３の注を参照する。
【００５３】
図３５は眼球５と撮影画像１０と凹面鏡８と拡大画像８４との関係を表示した説明図である。拡大画像１１と拡大画像８４の違いは基本的に図９の説明と同じである。
尚、上述の如く、拡大画像８４は拡大しすぎ眼球５の視界を越え明視出来ない状態を例示した。
【００５４】
図３６は眼球5と撮影画像１０と凹レンズ８１と凹面鏡８と拡大図１１の関係を表示した説明図である。一旦凹レンズで撮影画像１０を凹レンズ画像８２に縮小し拡大画像１１として表示する説明図である。図２５を参照する。
【００５５】
図３７から図３９迄は筐体２を担持した眼鏡枠を上下に移動させる上下変位切替装置付の携帯型テレビカメラの説明図である。
ここに用いる筐体２の機能及び作用は下記図を参照する。
図１８〜図２１の（双眼鏡形式そのＩ）又は、
図２２〜図２５の（双眼鏡形式そのＩＩ）又は、
図３３〜図３６の（双眼鏡形式そのＩＩ）の何れかから成る双眼鏡形式の筐体２である。
【００５６】
図３７は筐体２を左右アーム３７で担持した眼鏡枠３４の斜視図である。視線５１は正面方向を、視線５２は下方方向を示す説明図である。
【００５７】
図３８は(a)図と（b）図から成る図３７の機能と作用の説明側面図である。
先ず図３８(a)、（b）共通について請求項３を基に下記に説明をする。
図３７の如く上記筐体２を左右アーム３７で担持した眼鏡枠３４であって、上部板４２と下部板４４で上下変位装置４３を挟持した折畳み式板バネの上記上部板４２の上面に設置した上記筐体２と、電流オンにより磁気コイル４６に勘合した磁気コア４５に連動する上記上下変位装置４３と、電流オンにより上記下部板の延長端５３に設置した一対の鼻パッド３６を支点として上記板バネの反発に対抗し下部設定位置から上部設定位置に変位する上記上下変位装置４３に追動する上記筐体２に配置した上記覗き窓３の正面方向の視線で上記撮影画像の拡大した虚像１１を捉えている側面図である。
(a)図は電流オフで、左右鼻パッド３６を支点として上記上下変位装置４３に追従して筐体２と上記眼鏡枠３４が上記設定下部位置に変位し、設定正面の視界が視線５１から視線５２方向に下がり正面の視界が見えるようになった側面図である。
（b）図は電流オンで、左右鼻パッド３６を支点として上記上下変位装置４３に追従して筐体２と上記眼鏡枠３４が上記上部設定位置に変位し、設定正面が視線５２から視
線５１に変位し外界から筐体２に配置した一対の覗き窓の拡大画像１１が見える位置
に変位した側面図である。
【００５８】
図３９は上記図３８の上下変位装置４３の機能説明図である。
図３９（a）は上記図３８(a)に対応する側面図である。
図３９（a）において、上下変位装置４３は電磁コイル４６に勘合した磁気コア４５からなり、電流オフ時には否磁気化した電磁コイル４６に嵌合した磁気コア４５との間の無反発力に対応する上記板バネにより上記一対の鼻パッド３６を支点として下部設定位置に留まる上下変位装置４３に追動する上記筐体２の相互位置関係を表示し、眼球５の視線５２は筐体２の上部視界に向いている状態を表す。
図３９（b）は上記図３８（b）に対応する側面図である。
図３９（b）は、電流オンにより上記板バネの下部板４４の延長端５３に設置した一対の鼻パッド３６を支点として上記板バネの抗力に対抗して下部設定位置から上部設定位置に変位する上記上下変位装置４３に追動する上記筐体２を表示し、眼球５の視線５１は筐体２に備えた一対の覗き窓の拡大画像１１が見える位置に変位する側面図である。
【００５９】
図４０から図４１迄は液晶画面１９に表示される画像についての説明である。
【００６０】
図４０（a）は上記携帯型テレビカメラで撮影した撮影画像１０と自画像４８を液晶画面
１９に表示した説明図である。
図（b）は受信した相手の受信画像７０と相手の顔画像４９を受信画像７０として液晶画
面１９に表示した説明図である。
【００６１】
図４１（a）は携帯型テレビカメラで音声付画像を相互に送受信する時、自分の撮影画像10を含む自画像４８と相手からの受信画面５０上に受信画像７０を含む相手顔画像４９を表示する場合の説明図である。
横列に並べて、下部は自己の液晶画面１９に撮影画像１０と自己画像４８の送信画像を、上部は受信した相手からの受信画面５０上に受信画像７０を含む相手顔画像４９を表示する場合の説明図である。
図４１（b）は縦列に並べて同様に表示する。
尚、上下2列に並べて比較しながら表示する場合としては、教科書、指導書、教材、OJT教本を初め機材組み立て教本、整備や修理標準やGPS等の現況との比較等多岐に亘る。
注：（１）表示場所としては先ず携帯型端末１８に設置してある液晶１９で表示するが、
（２）望遠鏡形式又は双眼鏡形式の表示場所としては液晶画面６で表示した画像１０を凹面鏡８で拡大し、ズームして観察できる方法を自由に選択するも、
（３）眼鏡枠に取り付けた筐体２の一対の覗き窓で観察する場合は常に眼前周囲の映像を情報として採り入れ重畳して表示するか、図４０（a）又は図４１（a）程度に留める。
【図面の簡単な説明】
【００６２】
【図１】望遠鏡形式の携帯型テレビカメラの前面斜視図である。
【図２】望遠鏡形式の携帯型テレビカメラの内面斜視図である。
【図３】(a)図は望遠鏡形式の携帯型テレビカメラの上面図である。  （b）図は上記カメラの側面図である。  （c）図は机上のスタンド４０に望遠鏡形式の携帯型テレビカメラを設置した内面斜視図である。
【図４】掲示板１３に被写体７を表示した前面図である。
【図５】（a）図はスタンド４０に端末７２を介して携帯型テレビカメラを取り付けた正面図、  (b)図は被写体７を撮影する状態とした側面図である。
【図６】左側はテレビ６８を右側はパソコン・キーボード２８とその液晶２７を表示した説明図である。
【図７】望遠鏡形式の筐体２の機能を説明する前面図(a)と側面図（b）である。
【図８】望遠鏡形式の筐体２の主要部品の機能を説明するための上面図である。
【図９】凹面鏡８の拡大機能説明図である。
【図１０】凹レンズ８１の縮小機能説明図である。
【図１１】望遠鏡形式の筐体２を説明する内側正面図 (a)と側面図（b）である。
【図１２】望遠鏡形式の筐体２を説明する上面図である。
【図１３】凹面鏡８の拡大機能説明図である。
【図１４】凹レンズ８１の縮小機能説明図である。
【図１５】双眼鏡形式の筐体２の前面斜視図である。
【図１６】双眼鏡形式の筐体２の内側斜視図である。
【図１７】（a）図は双眼鏡形式の筐体2の上面図である。  （b）図は双眼鏡形式の筐体2の横面図である。  （c）図は双眼鏡形式の筐体2をスタンド40に据付けた横面図である。
【図１８】双眼鏡形式の筐体２の機能を説明する前面図(a)と側面図（b）である。
【図１９】双眼鏡形式の筐体２の機能を説明する上面図である。
【図２０】凹面鏡８の拡大機能説明図である。
【図２１】凹レンズ８１の縮小機能説明図である。
【図２２】双眼鏡形式の筐体２の機能を説明する前面図(a)と側面図（b）である。
【図２３】双眼鏡形式の筐体２の機能を説明する上面図である。
【図２４】凹面鏡８の拡大機能説明図である。
【図２５】凹レンズ８１を挿入し凹面鏡８による拡大画像１１を眼球５の視界に収まるようにした説明図である。
【図２６】眼鏡枠３４と筐体２の前面を表示した斜視図である。
【図２７】上側は眼鏡枠３４と筐体２の内側を表示した斜視図である。  下側は携帯型端末１８の上面図である。
【図２８】（a）図は眼鏡枠３４と筐体２を表示した前面図である。  （b）図は眼鏡枠３４と筐体２を表示した側面図である。
【図２９】眼鏡枠３４と筐体２を表示した内側正面図である。
【図３０】（a）図は単一の撮影レンズ部１を装着した筐体２の前面図である。  （b)図は一対の撮影レンズ部１を装着した筐体２の前面図である。
【図３１】眼鏡枠３４で筐体２を担持した前面図である。
【図３２】（a）図は眼鏡枠３４で筐体２を担持した側面図である。  (b)図は拡大画像表示画面２９上に拡大画像11を表示した前面図である。
【図３３】双眼鏡形式の筐体２の機能を説明する前面図(a)と側面図（b）である。
【図３４】双眼鏡形式の筐体２の機能を説明する上面図である。
【図３５】凹面鏡８の拡大機能説明図である。
【図３６】凹レンズ８１の縮小機能説明図である。
【図３７】眼鏡枠３４で筐体2を左右アーム３７で担持した斜視図である。  正面方向の一点破線である視線５１と、下方向の実線の視線５１を示す。
【図３８】（a）図は筐体２が視線５１から視線５２まで見える位置に下がった場合の側面図、  (b)図は筐体２が視線５１に上昇した場合を示す側面図である。
【図３９】（a）図は筐体２が視線５１から視線５２まで見える位置に下がった場合の機能図、  (b)図は筐体２が視線５１に上昇した場合を示す機能側面図である。
【図４０】(a) 液晶画面１９に撮影画像１０と自画像４８を表示した前面図である。  （b) 液晶画面１９に相手からの受信画面５０上に受信画像７０と相手顔画像４９を表示した前面図である。
【図４１】（a）液晶画面１９に相手からの受信画面５０上の受信画像７０と相手顔画像４９を上側に、下側に撮影画像１０と自画像４８を表示した表示面図である。  （b) 液晶画面１９上に相手からの受信画面５０上の受信画像７０と相手顔画像４９を左側に右側に撮影画像１０と自画像４８を表示した表示面図である。
【符号の説明】
【００６３】
１  撮影レンズ部
２  筐体
３  覗き窓
４  拡大レンズ
５  眼球
６  液晶画面（筐体２の対峙側面内側に設置）
７  被写体
８  凹面鏡
９  垂線（凹面鏡の接線に対応）
１０  撮影画像（液晶画面６及び１９に表示）
１１  凹面鏡拡大画像
１２  凹レンズ中央線
１３  掲示板
１４  筐体２の一側面部
１５  マイク
１６  フラッシュ
１７  アンテナ
１８  携帯型端末
１９  液晶画面（筐体２の上側面に設置）
２０  セレクター
２１  携帯型キーボード
２２  顔撮影・ボタン
２３  顔撮影・レンズ
２４  リード線A
２５  リード線B
２６  リード線C
２７  パソコン・液晶
２８  パソコン・キーボード
２９  拡大画像画面
３０  回転軸
３１  端子A
３２  補助筐体  
３３  補助充電器 
３４  眼鏡枠
３５  弦  
３６  鼻パッド
３７  筐体・アーム
３８  筐体・ローター
３９  リード線・通過孔
４０  スタンド
４１  イヤーホン  
４２  上部板
４３  上下変位装置  
４４  下部板
４５  磁気コア
４６  磁気コイル
４７  磁気コア・ストッパー
４８  自画像
４９  相手顔画像
５０  受信画面
５１  正面方向視線
５２  下方向視線
５３  追加板
５４  透明板（又は眼鏡レンズ）
５５  電源オフ・ボタン
５６  バネ軸
５７  ピボット
５８  電源オン・ボタン
５９  枠上下変位・ボタン
６０  フォト・ボタン
６１  ビデオ・ボタン
６２  比較・ボタン
６３  アドレス・ボタン
６４  メール・ボタン
６５  録画・ボタン  
６６  戻り・ボタン
６７  通信・ボタン
６８  テレビ
６９  ホルダー
７０  受信画像
７１  端子C
７２  コネクター
７３  凹面鏡中心
７４  投影光軸延長線
７５  投影光軸
７６  焦点光軸
７７  反射光軸
７８  拡大レンズ光軸
７９  拡大レンズ画像
８０  左右セパレータ
８１  凹レンズ
８２  凹レンズ画像
８３  視界外光線
８４  視界外画像
【図１】
0003137491.tif 000003
【図２】
0003137491.tif 000004
【図３】
0003137491.tif 000005
【図４】
0003137491.tif 000006
【図５】
0003137491.tif 000007
【図６】
0003137491.tif 000008
【図７】
0003137491.tif 000009
【図８】
0003137491.tif 000010
【図９】
0003137491.tif 000011
【図１０】
0003137491.tif 000012
【図１１】
0003137491.tif 000013
【図１２】
0003137491.tif 000014
【図１３】
0003137491.tif 000015
【図１４】
0003137491.tif 000016
【図１５】
0003137491.tif 000017
【図１６】
0003137491.tif 000018
【図１７】
0003137491.tif 000019
【図１８】
0003137491.tif 000020
【図１９】
0003137491.tif 000021
【図２０】
0003137491.tif 000022
【図２１】
0003137491.tif 000023
【図２２】
0003137491.tif 000024
【図２３】
0003137491.tif 000025
【図２４】
0003137491.tif 000026
【図２５】
0003137491.tif 000027
【図２６】
0003137491.tif 000028
【図２７】
0003137491.tif 000029
【図２８】
0003137491.tif 000030
【図２９】
0003137491.tif 000031
【図３０】
0003137491.tif 000032
【図３１】
0003137491.tif 000033
【図３２】
0003137491.tif 000034
【図３３】
0003137491.tif 000035
【図３４】
0003137491.tif 000036
【図３５】
0003137491.tif 000037
【図３６】
0003137491.tif 000038
【図３７】
0003137491.tif 000039
【図３８】
0003137491.tif 000040
【図３９】
0003137491.tif 000041
【図４０】
0003137491.tif 000042
【図４１】
0003137491.tif 000043
【手続補正書】
【提出日】平成19年10月1日(2007.10.1)
【手続補正１】
【補正対象書類名】明細書
【補正対象項目名】００２０
【補正方法】変更
【補正の内容】
【００２０】
図１０は本考案の液晶画面６の撮影画像１０と拡大装置である凹面鏡８の中間部位に配置した凹レンズ81についての機能側面図である。
液晶画面６で表示された撮影画像１０と、液晶画面６で投影され正面に配置した凹レンズ８１を通過し縮小された凹レンズ画像８２と、上記単一の凹面鏡８を形成する球の中心７３から上記縮小された凹レンズ画像８２の中心を通過する投影光軸７５と、上記縮小された凹レンズ画像８２の光軸が上記凹レンズ８１の光軸に平行して進行し上記凹面鏡８と交差する点と上記凹面鏡８の焦点Fとを結ぶ焦点光軸７６と、上記投影光軸７５と上記焦点光軸７６とが交差する位置に表示される拡大された虚像１１を上記単一の覗き窓３の正面の視線で捉える望遠鏡形式の携帯型テレビカメラの説明図である。
注（１）凹レンズ８１の中央線１２に対し、焦点fに向かう撮影画像１０の入射光軸に対する射出光軸は上記凹レンズ８１の光軸に平行して進行する平行光軸Aとなり、上記凹レンズ８１の中心点（凹レンズ８１の光軸と中央線１２の交点）に向かう光軸Bは直進し、上記平行光軸Aと上記直進光軸Bは縮小画像８２を構成する。
（２）ここに実線で示した眼球５の受光範囲は中心７３と投影光軸７５とを結ぶ投影光軸延長線７４と焦点光軸７６の枠内にある場合であるが、上記実線の眼球５の上側又は下側の一点破線で示した眼球５は拡大画像１１を反射光軸７７（正面視線）で捉えている説明図で、請求項2の液晶画面６の近傍部位である上側又は下側に配置した覗き窓３に相当する。
（３）反射光軸７７は凹面鏡８で反射し眼球５に届く光軸であるが、凹面鏡８の先に虚像１１として表示される拡大画像１１を液晶画面６の上側又は下側から捉えた眼球５の視線の正面方向とした。
（４）図９の注釈に同じく図１０では凹面鏡８が眼球５に近くに配置されても、凹レンズ８１で縮小した画像が眼球５の受光範囲内に収まるよう設定した。携帯型に対応して眼球５と凹面鏡８の距離が充分取れないことを前提とした。
【手続補正２】
【補正対象書類名】明細書
【補正対象項目名】００４０
【補正方法】変更
【補正の内容】
【００４０】
図２６から図３２迄は双眼鏡形式の携帯型テレビカメラの筐体２を担持した眼鏡枠の説明図である。
ここでは請求項２に基づく図７〜図１０の（望遠鏡形式その)を２台並列に並べた図３３〜３６（双眼鏡形式そのＩＩＩ）の説明をする。
ここに望遠鏡形式に用いた筐体２を新たに２台合体して使用するが、便宜上その合体した筐体も双眼鏡形式の筐体2と呼称する。
従って、ここで使用する筐体２は（双眼鏡形式その）、（双眼鏡形式そのＩＩ）又は上述の（双眼鏡形式そのＩＩＩ）の何れかに使用する筐体である。
【手続補正３】
【補正対象書類名】明細書
【補正対象項目名】００５６
【補正方法】変更
【補正の内容】
【００５６】
図３７は筐体２を左右アーム３７で担持した眼鏡枠３４の前面斜視図であり、
実線の視線５２は筐体２の上側部分を、視線５１は正面方向を示す説明図である。
尚、電流オフで視線５２は筐体２の上側部分（図３８（a）、図３９（a））とし、電流オンで視線５１は正面方向（図３８（b）及び、図３９（b））の筐体２の覗き窓を向く装置
（装置そのI  ）であり下記図３８と図３９で具体的に説明する。
（装置そのI  ）としては、電流オフでは視線５２が筐体２の上側部分を、電流オンで視線５１を正面の筐体２の覗き窓に向ける装置であるが、
（装置そのII）としては電流オフでは視線５２が筐体２の下側部分を、電流オンで視線５１を正面の筐体２の覗き窓に向ける装置で図３８〜３９を利用して説明する。
電流オフで上下変位装置４３が無反応化し、折畳み式板バネの反発幅を拡大方向に変位させ筐体２を視線５２の上部に設定し、電流オンでは上下変位装置４３が上記板バネに反発し縮小方向に変位し視線５１が正面方向の筐体２の覗き窓に向くように設定する装置である。
何れも電流オンでは筐体2の覗き窓を眺める事により利便性が発揮されるが、
（装置そのI ）は電流オフで筐体２の上側部分を広範囲に肉眼で見る一方、  
(装置そのII)  は電流オフで筐体２の下側部分を広範囲に肉眼で見る事の出来るそれぞれ一長一短のある眼鏡方式の携帯型テレビカメラとなる。そこで
(装置そのIII)  として筐体2の“上側部分”“覗き窓”“下側部分”を任意に切り替えが出来るようにすべく枠上下変位ボタン５９を改良する方法もある。
尚、枠上下変位ボタン５９は図２７の携帯型端末１８に表示のボタンである。
【手続補正４】
【補正対象書類名】明細書
【補正対象項目名】００５７
【補正方法】変更
【補正の内容】
【００５７】
図３８は(a)図と（b）図から成る図３７の機能と作用の説明側面図である。
先ず図３８(a)、（b）共通について下記に説明をする。
図３７の如く上記筐体２を左右アーム３７で担持した眼鏡枠３４であって、上部板４２と下部板４４で上下変位装置４３を挟持した折畳み式板バネの上記上部板４２の上面に設置した上記筐体２と、電流オンにより磁気コイル４６に勘合した磁気コア４５に連動する上記上下変位装置４３と、電流オンにより上記下部板の延長端５３に設置した一対の鼻パッド３６を支点として上記板バネの反発に対抗し下部設定位置から上部設定位置に変位する上記上下変位装置４３に追動する上記筐体２に配置した上記覗き窓３の正面方向の視線で上記撮影画像の拡大した虚像１１を捉えている側面図である。
(a)図は電流オフで、左右鼻パッド３６を支点として上記上下変位装置４３に追従して筐体２と上記眼鏡枠３４が上記設定下部位置に変位し、設定正面の視界が視線５１から視線５２方向に下がり正面の視界が見えるようになる側面図である。
（b）図は電流オンで、左右鼻パッド３６を支点として上記上下変位装置４３に追従して筐体２と上記眼鏡枠３４が上記上部設定位置に変位し、設定正面が視線５２から視線５１に変位し外界から筐体２に配置した一対の覗き窓の拡大画像１１が見える位置に変位する側面図である。